(57)【要約】【課題】防水、防滴構造を備えながら、暗所等で操作キー位置がわかりやすいようにムラなく均一に発光する操作キー構造を備えた電子機器及び撮像装置を提供すること。【解決手段】本体部と、本体部外装カバーと、前記外装カバーの内側に設けられた内部カバーと、前記外装カバーと内部カバー間に配置され、前記カバー間で圧縮固定される第１の弾性部材と、基板上に実装された実装スライドスイッチと、前記実装スライドスイッチを作動させるため、スライド可能に構成されたスライドスイッチノブと、前記内部カバーと前記スライドスイッチノブとの間に配置され、前記スライドスイッチノブと一体となって移動する第２の弾性部材と、前記第２の防滴用弾性部材にはリブ部が設けられ、前記リブ部が前記内部カバーと前記スライドスイッチノブにより常に前記内部カバーに密接していることを特徴とする。【選択図】図８（ａ）
2017223758.tif 000002
【特許請求の範囲】
【請求項１】
本体部と、
本体部外装カバーと、
前記外装カバーの内側に設けられた内部カバーと、
前記外装カバーと内部カバー間に配置され、前記カバー間で圧縮固定される第１の弾性部材と、
基板上に実装された実装スライドスイッチと、
前記実装スライドスイッチを作動させるため、スライド可能に構成されたスライドスイッチノブと、
前記内部カバーと前記スライドスイッチノブとの間に配置され、前記スライドスイッチノブと一体となって移動する第２の弾性部材と、
前記第２の防滴用弾性部材にはリブ部が設けられ、前記リブ部が前記内部カバーと前記スライドスイッチノブにより常に前記内部カバーに密接していることを特徴とする電子機器。
【請求項２】
前記リブ部のうち、前記スライドスイッチノブがスライドする方向と同一方向のリブに対し、スライド方向と直交する方向のリブの根本を分厚くしたテーパ形状にすることを特徴とする請求項１に記載の電子機器。
【請求項３】
前記外装カバーは、ダイキャストの金属材料で構成され、前記内部カバーは樹脂材料にて構成されることを特徴とする請求項１又は請求項２に記載の電子機器。
【請求項４】
前記外装カバーに前記内部カバーを固定するネジの固定方向と、前記基板を固定するネジの固定方向が異なる方向であることを特徴とする請求項１乃至請求項３の何れか一項に記載の電子機器。
【発明の詳細な説明】
【技術分野】
【０００１】
本発明は、防水、防滴防滴構造を考慮した、スライドスイッチ構造を持った撮像装置等の電子機器に関する。
【背景技術】
【０００２】
近年、より多様な場所で電子機器及び撮像装置を使用する機会が増大しており、多様な環境下で撮影等を行うため、防滴性能を持った撮像装置がある。また、それらの機器には、機能を変更、保持させるためのスライドスイッチを持つものがある。
【０００３】
これらスライドスイッチが防滴性を持つ構造となっている操作キーには、特許文献１に記載されているような、発水面を持つシートを組み合わせたものがある。
【先行技術文献】
【特許文献】
【０００４】
【特許文献１】特許第４５３２７０２号公報
【発明の概要】
【発明が解決しようとする課題】
【０００５】
しかしながら、上記の特許文献１では、シートを２枚使う必要がある上、撥水性が必要なシートのため外観上及び外観部材の制限がある、背後からスライドスイッチのノブそのものをビス等で固定する必要があるためノブが大型化してしまう、等の問題がある。また、シート同士での摺動の摺れ感や隙間が発生しやすく、結果として防滴性能が強固ではないという問題もある。
【０００６】
本発明の目的は、様々な外観部材に対して使用可能で、操作感が一定、かつ確実な防滴構造を備えたスライドスイッチを持つ電子機器及び撮像装置を提供することにある。
【課題を解決するための手段】
【０００７】
上記の目的を達成するために、本発明に係る電子機器は、
本体部と、本体部外装カバーと、前記外装カバーの内側に設けられた内部カバーと、前記外装カバーと内部カバー間に配置され、前記カバー間で圧縮固定される第１の弾性部材と、基板上に実装された実装スライドスイッチと、前記実装スライドスイッチを作動させるため、スライド可能に構成されたスライドスイッチノブと、前記内部カバーと前記スライドスイッチノブとの間に配置され、前記スライドスイッチノブと一体となって移動する第２の弾性部材と、前記第２の防滴用弾性部材にはリブ部が設けられ、前記リブ部が前記内部カバーと前記スライドスイッチノブにより常に前記内部カバーに密接していることを特徴とする。
【０００８】
また、本発明に係る電子機器の他の特徴とするところは、前記リブ部のうち、前記スライドスイッチノブがスライドする方向と同一方向のリブに対し、スライド方向と直交する方向のリブの根本を分厚くしたテーパ形状にすることを特徴とする。
【０００９】
また、本発明に係る電子機器の他の特徴とするところは、前記外装カバーは、ダイキャスト等の金属材料で構成され、前記内部カバーは樹脂材料にて構成されることを特徴とする。
【００１０】
また、本発明に係る電子機器の他の特徴とするところは、前記外装カバーに前記内部カバーを固定するネジの固定方向と、前記基板を固定するネジの固定方向が異なる方向であることを特徴とする。
【発明の効果】
【００１１】
本発明によれば、様々な外観部材に対して使用可能で、操作感が一定、かつ確実な防滴構造を備えたスライドスイッチを持つ電子機器及び撮像装置を提供することができる。
【図面の簡単な説明】
【００１２】
【図１】本発明の実施形態にかかわる撮像装置の前方斜視図
【図２】スライドスイッチユニット部２００近傍の拡大図
【図３】スライドスイッチユニット部２００近傍の分解斜視図
【図４】固定側弾性部２２０の斜視図
【図５】（ａ）は内部カバー部２３０の外観側斜視図、（ｂ）は内部カバー部２３０の非外観側斜視図
【図６】（ａ）は摺動側弾性部３００の外観側斜視図、（ｂ）は摺動側弾性部３００の外観側正面図、（ｃ）は（ｂ）のＡ−Ａ断面における断面図、（ｄ）は（ｂ）のＢ−Ｂ断面における断面図
【図７】スライドスイッチユニット部２００近傍の正面拡大図
【図８（ａ）】図７のＣ−Ｃ断面で切断した断面図
【図８（ｂ）】図７のＣ−Ｃ断面で切断した断面図
【図８（ｃ）】図８（ｂ）の開口近傍拡大図
【図９】（ａ）、（ｂ）は図７のＤ−Ｄ断面で切断した断面図、（ｃ）は図９の（ｂ）の開口近傍拡大図
【発明を実施するための形態】
【００１３】
以下に、本発明を実施するための形態を添付の図面に基づいて詳細に説明する。
【実施例１】
【００１４】
図１は本発明の実施形態にかかわる撮像装置の前方斜視図である。
【００１５】
撮像装置１００は、本体部１０１、交換レンズ部１１０、バッテリー部１２０、ハンドル部１６０等から構成されている。また、本体部１０１上には、交換レンズ部１１０を取り付けるための交換レンズマウント部１１１や、記録用媒体を装着するためのカード蓋ユニット部１３０、外部機器等と接続するための外部入出力端子蓋部１５０、様々な機能を操作するためのスライドスイッチユニット部２００等が搭載されている。
【００１６】
図２に、スライドスイッチユニット部２００近傍の拡大図を示す。
【００１７】
外装部２５０には操作キー用開口部２５５が設けられ、スライドノブ部３５０が操作可能に配置されている。スライドノブ部３５０は図のＱ方向にスライド自在に動作することにより様々な機能を切り替えることができる。
【００１８】
図３に、スライドスイッチユニット部２００近傍の分解斜視図を示す。
【００１９】
スライドスイッチユニット部２００は外観側から外装部２５０、防滴用の固定側弾性部２２０、内部カバー部２３０、外装部２５０に対し内部カバー部２３０を固定するための内部カバー固定ビス２８０を持つ。加えて、内部カバー部２３０に対し摺動側弾性部３００、スライドユニット３３０を挟み込む形でプリント基板４００が配置され、プリント基板固定ビス４５０によってプリント基板４００は内部カバー部２３０に固定される。
【００２０】
図４に、固定側弾性部２２０の斜視図を示す。
【００２１】
固定側弾性部２２０は、内部カバー部２３０に固定側粘着部２２１により固定される。また、操作キー用開口部２５５よりも大きいサイズにて構成された固定側開口部２２２を持つ。
【００２２】
図５（ａ）に、内部カバー部２３０の外観側斜視図を示す。図５（ｂ）に、内部カバー部２３０の非外観側斜視図を示す。
【００２３】
内部カバー部２３０の外観側、すなわち外装部２５０側のには、固定側弾性部２２０を貼りつけるための固定側粘着部２２１が構成されている。
【００２４】
非外観側、すなわち摺動側弾性部３００側には、摺動側弾性部３００を受けるための内部カバー側摺動受け面２３５、プリント基板４００を固定するためのプリント基板固定部２３６、外装部２５０に固定するための内部カバー固定部２３７を有する。また各々の摺動側弾性部３００及びスライドユニット３３０がＱ方向にスライド動作自在にするために、スライド方向開口部２３８がスライドユニット３３０の数量分構成されている。
【００２５】
図６の（ａ）に、摺動側弾性部３００の外観側斜視図を示す。図６の（ｂ）に、摺動側弾性部３００の外観側正面図を示す。図６の（ｃ）に、（ｂ）のＡ−Ａ断面における断面図を示す。図６の（ｄ）に、（ｂ）のＢ−Ｂ断面における断面図を示す。
【００２６】
摺動側弾性部３００は、外観側に平面部３０１と、スライドユニット３３０のスライドノブ部３５０を外観側に延出させるためのノブ開口部３０３、スライド方向Ｑと同一方向の外周部に形成される摺動方向平行側突起部３１０、スライド方向Ｑと垂直方向の外周部に形成される摺動方向垂直側突起部３２０を持ち、各々の突起部はなめらかに繋がっている。また平面部３０１からの高さが同一となるように突起上面部３０５が形成されている。非外観側にはスライドユニット３３０と密着するための摺動側粘着部３０２が形成され、Ｑ方向へのスライド動作時にはスライドユニット３３０と一体となってスライドする。また、図６の（ｃ）、（ｄ）に示されるように、摺動方向垂直側突起部３２０は、摺動方向平行側突起部３１０に比べ、突起上面部３０５は略同一の肉厚で形成されているが、平面部３０１に近づくに従い、肉厚が増していく構成となっている。
【００２７】
図７に、スライドスイッチユニット部２００近傍の正面拡大図を示す。図８（ａ）、図８（ｂ）に、図７のＣ−Ｃ断面で切断した断面図を示す。図８（ｃ）に、図８（ｂ）の開口近傍拡大図を示す。また、図９の（ａ）、（ｂ）に、図７のＤ−Ｄ断面で切断した断面図を示す。図９の（ｃ）に、図９の（ｂ）の開口近傍拡大図を示す。
【００２８】
固定側弾性部２２０は、外装部２５０と内部カバー部２３０の間に挟み込まれ、弾性変形することにより、矢印で示された液体が外装部２５０と内部カバー部２３０の隙間から入り込むことを防いでいる。
【００２９】
スライドユニット３３０には、プリント基板４００上に配置された実装スライドスイッチ４１０の実装スライドスイッチノブ部４１１をＱ方向に動かすための実装スイッチノブ保持部３３１を持ち、様々な機能を切り替える。スライドユニット３３０は、内部カバー部２３０及びプリント基板４００により、摺動側弾性部３００を介して挟み込まれている構成となっており、摺動側弾性部３００上に設けられた突起上面部３０５と、内部カバー側摺動受け面２３５が摺動可能に密接することにより、矢印で示された液体が内部カバー部２３０とスライドユニット３３０の隙間から入り込むことを防いでいる。
【００３０】
ユーザーがスライドスイッチユニット部２００を操作するため、スライドユニット３３０に形成されたスライドノブ部３５０をＱ方向に操作すると、荷重Ｆが摺動方向垂直側突起部３２０の倒れ方向にかかる。これにより摺動方向垂直側突起部３２０が倒れてしまい、水等が内部に侵入することを避けつつ、操作時の摺動による摺れ感や荷重増大、摺動側弾性部３００の削れ等を防ぐため、突起上面部３０５と内部カバー側摺動受け面２３５の接触面積はなるべく少ないほうが望ましい。
【００３１】
そこで、図６にも示したように突起上面部３０５から、平面部３０１に近づくに従い、肉厚が増していく構成となっている。一方、摺動方向平行側突起部３１０には倒れ方向の荷重が発生しないため、突起上面部３０５から厚みはなるべく薄く一定になるよう構成されている。
【００３２】
外装部２５０には、美観や高品位、高強度を求めるため、金属ダイキャスト等の硬度が高く、バリ等がでやすい材料にて構成されていることがしばしばある。そのため、固定側弾性部２２０はスライドユニット３３０の動作にかかわらず、動くことがない為、長期にわたり安定して防滴性能を保つことができる。
【００３３】
一方、摺動側弾性部３００はユーザー操作の度に摺動するため、摺動方向平行側突起部３１０及び摺動方向垂直側突起部３２０が接触する内部カバー部２３０には、強度等よりもバリ等が少なく、なめらかで柔らかく、摺動によりケズレ等が発生しにくい樹脂材料を使用することが望ましい。
【００３４】
上述のような構成にすることにより、様々な外観部材に対して使用可能で、操作感が一定、かつ確実な防滴構造を備えたスライドスイッチを構成することが可能になる。
【００３５】
以上、本発明の好ましい実施形態について説明したが、本発明はこれらの実施形態に限定されず、その要旨の範囲内で種々の変形及び変更が可能である。
【符号の説明】
【００３６】
１００  撮像装置、１０１  本体部、１１０  交換レンズ部、
１１１  交換レンズマウント部、１２０  バッテリー部、１３０  カード蓋ユニット部、
１５０  外部入出力端子蓋部、１６０  ハンドル部、
２００  スライドスイッチユニット部、２２０  固定側弾性部、２２１  固定側粘着部、
２２２  固定側開口部、２３０  内部カバー部、２３１  固定側弾性部貼り付け部、
２３５  内部カバー側摺動受け面、２３６  プリント基板固定部、
２３７  内部カバー固定部、２３８  スライド方向開口部、２５０  外装部、
２５５  操作キー用開口部、２８０  内部カバー固定ビス、３００  摺動側弾性部、
３０１  平面部、３０２  摺動側粘着部、３０３  ノブ開口部、３０５  突起上面部、
３１０  摺動方向平行側突起部、３２０  摺動方向垂直側突起部、
３３０  スライドユニット、３３１  実装スイッチノブ保持部、
３５０  スライドノブ部、４００  プリント基板、４１０  実装スライドスイッチ、
４１１  実装スライドスイッチノブ部、４５０  プリント基板固定ビス
【図１】
2017223758.tif 000003
【図２】
2017223758.tif 000004
【図３】
2017223758.tif 000005
【図４】
2017223758.tif 000006
【図５】
2017223758.tif 000007
【図６】
2017223758.tif 000008
【図７】
2017223758.tif 000009
【図８（ａ）】
2017223758.tif 000010
【図８（ｂ）】
2017223758.tif 000011
【図８（ｃ）】
2017223758.tif 000012
【図９】
2017223758.tif 000013